(57)【要約】  本発明は、シェービング機器１０及びシェービングユニット２４に関し、該シェービングユニット２４は、切断端６４、１６４を備えた複数のカッタ刃６２、１６２を有する回転カッタ３０、１３０であって、動きの方向３６、１３６に回転軸２６、１２６のまわりに回転するよう構成された回転カッタと、カッタ刃６２、１６２と協働するため回転軸２６、１２６を囲む環状のシェービングトラック４４、１４４を有するガードキャップ２８、１２８であって、シェービングトラック４４、１４４は、動きの方向３６、１３６で見て、前端４８、１４８及び後端５０、１５０を持つ毛入口スロット４６、１４６を備えた、ガードキャップと、を有し、毛入口スロット４６、１４６の前端４８、１４８は、毛入口スロット４６、１４６の長い側面の延在部に沿った切断部７０、１７０において、回転軸２６、１２６に対して径方向９６、１９６に対し傾斜しており、径方向９６、１９６に対して毛入口スロット４６、１４６の前端４８、１４８の傾斜角として定義されるスロット角αは、３５°乃至６０°の範囲内であり、径方向９６、１９６に対するカッタ刃６２、１６２の切断端６４、１６４のスロット角αと傾斜角βとの差として定義される剪断角δは、＋２０°乃至−２０°の範囲内であり、剪断角δは、前端４８、１４８と切断端６４、１６４とが協働する実際の点において定義される。
2021522010.tif 000002
【特許請求の範囲】
【請求項１】
シェービングユニットであって、
切断端を備えた複数のカッタ刃を有する回転カッタであって、動きの方向に回転軸のまわりに回転するよう構成された回転カッタと、
前記カッタ刃と協働するため前記回転軸を囲む環状のシェービングトラックを有するガードキャップであって、前記シェービングトラックは、前記動きの方向で見て、前端及び後端を持つ毛入口スロットを備えた、ガードキャップと、
を有し、前記毛入口スロットの前端は、前記毛入口スロットの長い側面の延在部に沿った切断部において、前記回転軸に対して径方向に対し傾斜しており、スロット角は、前記径方向に対して前記毛入口スロットの前端の傾斜角として定義され、
前記径方向に対する前記カッタ刃の切断端のスロット角と傾斜角との差として定義される剪断角は、＋２０°乃至−２０°の範囲内であり、
前記剪断角は、前記前端と前記切断端とが協働する実際の点において定義される、シェービングユニットにおいて、
前記スロット角が、３５°乃至６０°の範囲内であることを特徴とする、シェービングユニット。
【請求項２】
前記スロット角が、３５°乃至４５°の範囲内である、請求項１に記載のシェービングユニット。
【請求項３】
前記剪断角は、＋１５°乃至−１５°の範囲内であり、好適には＋１０°乃至−１０°の範囲内である、請求項１又は２に記載のシェービングユニット。
【請求項４】
前記径方向に対する前記切断刃の切断端の傾斜角は、４０°よりも大きい、請求項１乃至３のいずれか一項に記載のシェービングユニット。
【請求項５】
前記毛入口スロットは、基本的に直線状の主な延在部を持つ、請求項１乃至４のいずれか一項に記載のシェービングユニット。
【請求項６】
前記カッタ刃は、基本的に直線状の主な延在部を持つ、請求項５に記載のシェービングユニット。
【請求項７】
前記毛入口スロットの前端は、前記回転軸に対して前記径方向に湾曲している、請求項１乃至４のいずれか一項に記載のシェービングユニット。
【請求項８】
前記カッタ刃の切断端は、前記回転軸に対して前記径方向に湾曲し、前記毛入口スロットと前記カッタ刃とは、好適には同じ曲率方向を持つ、請求項７に記載のシェービングユニット。
【請求項９】
前記毛入口スロットは、Ｖ字型の主な延在部を持ち、好適には前記Ｖ字型の毛入口スロットの先端は、移動方向に見て前方を向いている、請求項１乃至４のいずれか一項に記載のシェービングユニット。
【請求項１０】
前記カッタ刃は、Ｖ字型の主な延在部を持ち、好適には前記Ｖ字型のカッタ刃の先端は、移動方向に見て前方を向いている、請求項９に記載のシェービングユニット。
【請求項１１】
前記毛入口スロット及び前記カッタ刃において、２つの切断部が存在し、前記切断部の一方は、それぞれ前記Ｖ字型の毛入口スロット及び前記Ｖ字型のカッタ刃の第１の脚部として定義され、他方は、それぞれ前記Ｖ字型の毛入口スロット及び前記Ｖ字型のカッタ刃の第２の脚部として定義される、請求項１０に記載のシェービングユニット。
【請求項１２】
前記第１及び第２の脚部は、前記径方向に対して対向する傾斜角を持つ、請求項１１に記載のシェービングユニット。
【請求項１３】
前記Ｖ字型のカッタ刃の第１の脚部及び第２の脚部の切断端により挟まれる角は、前記Ｖ字型の毛入口スロットの第１の脚部及び第２の脚部の前端により挟まれる角よりも小さい、請求項１１又は１２に記載のシェービングユニット。
【請求項１４】
２つ以上の請求項１乃至１３のいずれか一項に記載のシェービングユニットと、前記シェービングユニットを支持する支持部材と、を有する、シェービング機器のためのシェービングヘッド。
【請求項１５】
筐体と、請求項１４に記載のシェービングヘッドと、前記シェービングヘッドの前記シェービングユニットの回転カッタの回転を引き起こすための駆動ユニットと、を有するシェービング機器。
【発明の詳細な説明】
【技術分野】
【０００１】
本発明は、シェービングユニット、及び斯かるシェービングユニットを備えたシェービング機器に関する。より一般的には、本発明は、パーソナルケア機器、グルーミング機器、及び毛切断機器の分野に関する。主要な実施例において、本発明は、回転カッタ及びガードキャップを含む少なくとも１つのシェービングユニットを備え、回転カッタがガードキャップに対して回転されるように構成されたシェービング機器に関する。
ガードキャップは回転カッタを覆う。ガードキャップには、例えば、シェービングトラックとも呼ばれる円形経路に沿って、幾つかのスロットが設けられている。
スロットは、毛入口スロットと呼ばれても良い。ガードキャップは、例えば、薄いシートメタル材料から作られる。毛入口スロットには、回転カッタの対応する切断端と協働するように配置された切断端が設けられている。
【０００２】
幾つかの実施例では、それぞれのシェービング機器は、２つ、３つ、又はそれ以上のシェービングユニットを装備することができる。更に、輪郭追従特徴を提供するために、シェービングユニットは、シェービングユニット全体がユーザの皮膚と密接に位置合わせされ、ユーザの皮膚に接触することができるように、幾らか枢動可能又は回避的に取り付けられても良い。
【背景技術】
【０００３】
国際公開第ＷＯ２０１３／１０４９６５号Ａ１は、複数のカッタ刃を有する回転カッタを含むシェービングユニットを開示しており、各カッタ刃は、移動方向に軸の周りに回転するように配置されており、回転カッタは、カッタ刃と協働するように軸の周りに同心に配置された環状シェービングトラックを有するキャップであり、シェービングトラックには、移動方向に見て、前端及び後端を有する毛入口開口部又はスロットが設けられている。
【０００４】
毛入口開口部の前端部及びカッタ刃の切断端部は、それぞれ、或る角度を相互に挟んで２つの関連する脚部を相互に連結する中央ベース部を含むＶ字型部分を持ち、移動方向において、前端のＶ字型部分の各中央ベース部は、その関連する脚部の前方に配置され、それにより、前端のＶ字型部分は移動方向を指し、移動方向において、切断端のＶ字型部分の各中央ベース部は、その関連する脚部の後方に配置され、それにより、切断端のＶ字型部分は、移動方向とは反対の方向を指す。
【０００５】
換言すれば、毛入口開口部及びカッタ刃は、幾分対向するブーメラン形状を有する。このようにして、毛入口開口部に入った毛を、キャップの毛入口開口部の切断端とカッタ刃との間で切断されるために、対向するＶ字型形状の先端に向かって徐々に押し込むことができる。それ故、毛切断は、主としてＶ字型要素の中央先端の近傍で行われる。
【０００６】
米国特許ＵＳ３，８８９，３７２号は、シェーバ本体に固定された外刃と、外刃に対して回転可能な内刃とを有するシェービングユニットを開示している。外刃は、各々が内刃の回転軸に対して半径方向に主な延在部を有する切断端を有する複数の毛入口スリットを有する。内刃は、それぞれ半径方向に主な延長方向を持つ複数の切断端を有する。内刃と外刃の毛入口スリットは、スリットの切断端と内刃の切断端で囲まれた剪断角が切断端上の任意の位置で一定となるように配置されている。剪断角は１０°乃至３０°の範囲内である。第１の実施例では、内側刃の切断端は直線状であり、各々が半径方向に延びているが、スリットの切断端は湾曲している。第２の実施例では、スリットの切断端は直線状であり、それぞれ半径方向に延びているが、内刃の切断端は湾曲している。
【発明の概要】
【発明が解決しようとする課題】
【０００７】
シェービングユニットの一般的な設計目標は、シェービング性能を改善し、皮膚の刺激、発赤、皮膚ドーム又は膨らみなどの皮膚損傷を低減することである。更に、除毛能力は、シェービングユニットの設計及び性能における重要な問題である。
【０００８】
それ故、本発明の目的は、上述の問題の少なくとも幾つかに対処するシェービングユニットの設計の改善を提供することである。より詳細には、皮膚に優しく、堅固であり、また十分な切断性能を提供するシェービングユニットを提供することが望ましい。
また、更に改善された切削平滑性に到達することが望ましい。
【０００９】
また、幅の大部分が切断動作にも使用されるように配置された一定の動作幅（即ち環状経路の有効切断幅）を持つシェービングユニットを提示することが望ましい。
【００１０】
それ故、基本的に、関連する切断端部の（半径方向の）延在部全体に沿って毛を切断する能力を提供することによって、毛切断前の毛操作が低減されるように配置されたシェービングユニットを提供することも望ましい。
【００１１】
また、長寿命で且つ耐摩耗性があり、使用寿命にわたって一定の切れ味及び精度を維持したシェービングユニットを提示することが望ましい。
【課題を解決するための手段】
【００１２】
本発明の第１の態様によれば、シェービングユニットであって、
切断端を備えた複数のカッタ刃を有する回転カッタであって、動きの方向に回転軸のまわりに回転するよう構成された回転カッタと、
前記カッタ刃と協働するため前記回転軸を囲む円形のシェービングトラックを有するガードキャップであって、前記シェービングトラックは、前記動きの方向で見て、前端及び後端を持つ毛入口スロットを備えた、ガードキャップと、
を有し、前記毛入口スロットの前端は、前記毛入口スロットの長い側面の延在部に沿った切断部において、前記回転軸に対して径方向に対し傾斜しており、前記径方向に対して前記毛入口スロットの前端の傾斜角として定義されるスロット角αは、３５°乃至６０°の範囲内であり、
前記径方向に対する前記カッタ刃の切断端のスロット角と傾斜角βとの差として定義される剪断角δは、＋２０°乃至−２０°の範囲内であり、
前記剪断角は、前記前端と前記切断端とが協働する実際の点において定義される、シェービングユニットが提示される。
【００１３】
上記の態様は、毛入口スロットのスロット角αをかなり大きな値に設定することは、毛が限定された切断ゾーンに向かって単に押し出される可能性が低減されるので、毛切断に正の効果を有するという洞察に基づく。特定の実施例では、限定的な意味で理解されるべきではないが、同様の切断角度を有するカッタ刃を提供することもまた、それに寄与し得る。特定の実施例では、限定的な意味で理解されるものではないが、カッタ刃の切断角度（本明細書では傾斜角βという）（即ち、カッタ刃の切断端と半径方向との間の角度）は、基本的には、ガードキャップのスロット角α（即ち、ガードキャップにおけるスロットの切断端と半径方向との間の角度）に類似している。
この関係は、比較的小さい剪断角δによって表される。
【００１４】
ここで用いられる正の剪断角δは、半径方向に対するカッタ刃の切断端の傾斜角βがスロット角αよりも大きいことを意味する。負の剪断角δは、傾斜角βがスロット角αより小さいことを意味する。
【００１５】
換言すれば、上記態様によれば、回転カッタ及びガードキャップは、二つの部品の切断端部の基本的に全長（半径方向の延在部分）が毛切断プロセスにおいて能動部分をとるように設計することができる。
【００１６】
更なる利点は、使用者の快適さの全体的な改善に寄与する毛操作が少ないことである。
このことは、ユーザの快適性の全体的な改善に寄与する。切断端の半径方向の延在部分のより大きな部分が切断動作に関与するので、カッタとガードキャップの両方の切断端の全体的な摩耗及びグラデーションが低減され得る。全体として、動作寿命を延ばすことができる。
【００１７】
更に、毛入口スロットの関連する端部と半径方向との間の比較的大きな傾斜角αのために、皮膚のドーミング、皮膚の隆起、及び皮膚刺激の可能性を増大させる同様の有害事象が低減され得るか、又は回避さえされ得る。厳密な半径方向の向きとは対照的に、毛入口スロットの全体的な向きが幾らか傾斜していることにより、不快感を引き起こすスロット内の皮膚の切断及びクランプが回避されることが観察されている。
【００１８】
更に、毛入口スロットの傾斜した向きは、互いに近接して配置された膨大な数の放射状スロットによって引き起こされる、平行ドーミングと呼ばれ得るものを回避する。
【００１９】
更なる利点は、少なくとも幾つかの実施例によれば、より薄い切断刃を使用することができることである。それ故、シェービングの滑らかさを向上させることができる。
【００２０】
シェービングユニットの実施例によれば、スロット角αは、３５°乃至４５°の範囲である。
【００２１】
一般的に、傾斜角が大きいほど、皮膚への優しさが増すことが観察されている。もちろん、実際には、傾斜角度を大きくしすぎることに対する悪影響となり得る他の影響要因が存在し得ることに留意されたい。いずれにせよ、幾つかの実施例では、６０°を超える傾斜角度（スロット角）でさえも、ユーザの快適性に関して、かなり小さい傾斜角度を有する代替実施例よりも優れた、とり得る選択肢であることが観察されている。
【００２２】
皮膚への優しさは、皮膚の灼熱感、発赤などの可能性や重症度に基づいて評価されることがある。ここで用いられるスロット角α及び傾斜角βは鋭角であり、それぞれの端部と半径方向との間に形成されるそれらの対応する鈍角ではない。
【００２３】
別の実施例によれば、剪断角δは、＋１５°乃至−１５°の範囲、好ましくは＋１０°乃至−１０°の範囲である。
【００２４】
剪断角δを比較的小さく保つことは、カッタとガードキャップとの間の協働により、毛が、ある量の毛操作を伴うかなり限定された切断ゾーンに徐々に押し込まれるのではなく、直接加工／切断されるので、改善された性能をもたらす。このことは、正及び負の（小さい）剪断角δの両方についても成り立つ。半径方向に対するカッタ刃の切断端の傾斜は、半径方向に対する毛入口スロットの前端の傾斜と同様である。毛入口スロットの前端は、切断端と呼ばれ得る。
【００２５】
ここで用いられる半径方向は、シェービングユニットの中心／主軸と、径方向の線と関連する端部／幾何との間の交点との間に定義される。更に、２つの要素／２つの切断端が関与する場合、半径方向は、シェービングユニットの中心と、回転カッタにおけるエッジとガードキャップとの間の交点との間に定義される。
【００２６】
別の実施例によれば、半径方向に対するカッタ刃の切断端の傾斜角βは４０°よりも大きい。従って、カッタの切断端も半径方向に対して一定の傾斜を有するが、しかしながら、多くの場合、カッタの切断端と毛入口スロットの前端との間には比較的小さな角度オフセットが存在する。カッタの切断端及び毛入口スロットの前端は、一般に平行ではないが、特定の実施例では平行であっても良い。傾斜角βは、スロット角αと剪断角δで構成される。
【００２７】
別の実施例によれば、毛入口スロットは、基本的に真っ直ぐな主な延在部を有する。
このことは、特定の実施例では、毛入口スロットのわずかに湾曲した形状も含んでも良い。毛入口スロット及びそれぞれのエッジの湾曲した形状が存在する場合、上記の角度範囲及び値は、平均勾配及び／又はそれぞれの接線に基づいて決定され得る。
【００２８】
別の実施例によれば、カッタ刃は、基本的に真っ直ぐな主延在部を有する。
このことは、特定の実施例では、毛入口スロットのわずかに湾曲した形状も含んでも良い。カッタ刃及びそれぞれの切断端の湾曲した形状が存在する場合、上記の角度範囲及び値は、平均勾配及び／又は仮想接線に基づいて決定され得る。
【００２９】
別の実施例によれば、毛入口スロットの前端は、回転軸に対して半径方向に湾曲している。ここで用いられる湾曲という用語は、毛入口スロットのわずかに湾曲した形状に関連し得る。
【００３０】
別の実施例によれば、毛入口スロットの前端は、回転軸に対して半径方向に湾曲しており、毛入口スロット及びカッタ刃は、好ましくは、同じ曲率方向（頂点又は先端は、同じ方向を指す）を持つ。
【００３１】
ここで用いられる湾曲という用語は、カッタの毛入口スロット及び／又はカッタ刃のわずかに湾曲した形状に関連し得る。
【００３２】
別の実施例によれば、毛入口スロットは、Ｖ字型の主延在部を有する。別の実施例によれば、Ｖ字型の毛入口スロットの先端は、移動方向に見て前方に向いている。
【００３３】
換言すれば、毛入口スロットはブーメラン形状であってもよく、その２つの脚の間の先端は移動／回転方向を向いている。従って、Ｖ字型の２本の脚は、毛入口スロットの後端に向かって、即ち、動く方向とは逆に開いている。
【００３４】
別の実施例によれば、カッタ刃は、Ｖ字型の主延在部を有する。別の実施例によれば、Ｖ字型状のカッタ刃の先端は、移動方向に見て前向きである。
【００３５】
それ故、カッタ刃もブーメラン形状とすることができる。しかしながら、国際公開ＷＯ２０１３／１０４９６５号Ａ１号に開示されている構成とは対照的に、カッタ刃によって画定されるＶ字型は、毛入口スロットによって画定されるＶ字型とは反対の方向を向いていない。つまり、Ｖ字状のカッタ刃の２本の脚とそれぞれの切断端の間の先端が、移動方向に前方を向いている。換言すれば、Ｖ字型の２つの脚部は後方に開いている。
【００３６】
本明細において、毛入口スロット及び／又はカッタ刃のためのＶ字型の形態を含む実施例において、２つの対向する脚部の間の移行部（先端領域）は、スロット角α及び／又は剪断角δ、並びに結果として生じる傾斜角βを規定するために使用されないことに留意されたい。
【００３７】
それ故、カッタ及び毛入口スロットは、Ｖ字型のそれぞれの先端に近い減少する切断ゾーンに毛を付勢するために、互いに対向しない。逆に、過度に操作されることなく毛が切断される可能性が高い。
【００３８】
シェービングユニットの別の実施例によれば、毛入口スロット及びカッタ刃には、２つの切断部分が存在し、そのうちの１つは、それぞれ第１の脚部として定義され、Ｖ字型毛入口スロット及びＶ字型カッタ刃であり、他の１つは、それぞれ第２の脚部として定義され、Ｖ字型毛入口スロット及びＶ字型カッタ刃である。
【００３９】
それ故、１つだけでなく２つの切断部分が存在し、その各々は、本発明の少なくとも幾つかの態様に従って画定され、成形され得る。
【００４０】
別の実施例によれば、第１の脚部及び第２の脚部は、半径方向に対して反対の傾斜角度を有する。
【００４１】
毛入口スロット及びカッタ刃のそれぞれの傾斜角度（瞬間の半径方向に対する）は、同じであってもよく、又は両方の脚部で異なっていても良い。
【００４２】
別の実施例によれば、Ｖ字型カッタ刃の第１の脚部及び第２の脚部の切断端部によって包囲される角度εは、Ｖ字型の毛入口スロットの第１の脚部及び第２の脚部の前端部によって包囲される角度γよりも小さい。
【００４３】
換言すれば、本実施例によれば、カッタ刃の切断端を特徴付けるＶ字型状は、毛入口スロットを特徴付けるＶ字型状よりも尖っている。換言すれば、カッタ刃のＶ字型の切断端は、毛入口スロットのＶ字型の前端よりも尖っていない。一般的に、Ｖ字型は円周方向に整列している。
【００４４】
その結果、その前端とカッタ刃の切断端との間で切断されるために毛入口スロットに入った毛は、必然的に先端に押し出されない。
【００４５】
別の実施例によれば、本明細書に記載の少なくとも１つの実施例による２つ以上のシェービングユニットを含み、シェービングユニットを支持する支持部材を更に含むシェービングヘッドが提示される。
【００４６】
特定の実施例では、提供される３つのシェービングユニットが、シェービング機器の三角形シェービングヘッドを形成することができる。他の実施例では、基本的に互いに隣接して配置された２つのシェービングユニットが提供される。シェービングユニットのそれぞれの回転軸は、特定の実施例において、平行であっても良い。しかしながら、代替の実施例では、シェービングユニットの回転軸は、シェービング機器の輪郭適合及び輪郭追従能力を改善するために、互いに対してわずかに傾斜している。一般的に、シェービング機器は、グルーミング機器として呼ばれ構成されても良い。
【００４７】
本発明の別の態様では、筐体と、本明細書に記載の少なくとも１つの実施例によるシェービングヘッドと、シェービングヘッドのシェービングユニットの回転カッタの回転を引き起こす駆動ユニットと、を有するシェービング機器が提示される。
【００４８】
一般的に、シェービング装置は、ハンドル部と、シェービングユニットが配置されている切断ヘッドとを有する筐体を有する。
【００４９】
シェービングユニットは、カッタ刃及びガード刃によって形成される少なくとも１つのシェービングユニットを有する。カッタ刃は、回転カッタと呼ばれ得る。ガード刃は、ガードと呼ばれ得る。
【００５０】
特定の実施例では、シェービング機器は、互いに基本的に平行であるか、又は少なくともわずかに傾斜している２つのそれぞれのシェービングユニットを有する。代替の実施例では、シェービング機器は、基本的に互いに平行であるか、又は少なくともわずかに傾斜しており、機器の切断ヘッドに三角形に配置された３つのそれぞれのシェービングユニットを有する。
【００５１】
既に上述したように、シェービングユニットは、シェービングユニットに一定の皮膚輪郭追従能力を提供するために、幾らか枢動可能な態様で配置されても良い。
【００５２】
一般的に、シェービング機器は、回転シェービングユニットを有する回転シェービング機器として配置することができる。これには、機器を操作するときに、回転カッタとガードキャップの間の相対的な回転が含まれる。
【００５３】
シェービング装置は、一般的に、少なくとも１つのシェービングユニットを駆動するために１つ以上のモータを備えている。また、シェービング装置には、電源用のバッテリを設けても良い。代替として、シェービング機器は、電源及び／又はバッテリ再充電のための電源ケーブルを有することができる。
【００５４】
本発明のこれら及び他の態様は、以下に記載される実施例から明らかになり、それを参照して説明される。
【図面の簡単な説明】
【００５５】
【図１】シェービング機器として構成された毛切断機器の実施例の斜視図を示す。
【図２】切断ユニットのシェービングヘッドが脱着された、図１に示された機器の部分的な図を示す。
【図３】シェービングユニットが脱着された状態で示された回転カッタ及びガードキャップを有する、図１及び図２に示された機器のシェービングユニットを示す。
【図４】本発明によるシェービングユニットの実施例の分解斜視上面図を示す。
【図５】図４に示されたガードキャップの上面図を示す。
【図６】図４に示された回転カッタの上面図を示す。
【図７】回転カッタが破線により示された、図４に示されたシェービングユニットの上面図を示す。
【図８】切断ゾーンを示す、図８の構成の部分的な拡大図である。
【図９】本発明による他の実施例によるシェービングユニットのガードキャップの半分の上面図である。
【図１０】図９のガードキャップと協働するよう構成された回転カッタの半分の上面図である。
【図１１】切断ゾーンを示す、図９のガードキャップ及び図１０の回転カッタのアセンブリの部分的な拡大図を示す。
【発明を実施するための形態】
【００５６】
図１は、シェービング機器として構成された毛切断機器１０を斜視上面図で示す。機器１０は、長細の筐体１２と、筐体１２の上端に配置された切断ユニット１４、２０とを有する。
【００５７】
筐体１２内には、駆動ユニット１６が収容されている（ここではあまり詳細には図示していない）。駆動ユニット１６は、切断ユニット１４，２０を動作させて作動させるように配置されている。筐体１２には、操作者の制御装置、バッテリ、電気ケーブル用ソケット等の、機器１０の更なる構成要素が設けられても良い。
【００５８】
切断ユニット１４、２０は、切断ユニット１４、２０の支持構造１４上に取り外し可能に設けられたシェービングヘッド２０を含む。図２において、シェービングヘッド２０は、筐体１２に取り付けられている支持構造１４から離れて前進される。シェービングヘッド２０は、少なくとも２つのシェービングユニット２４と、シェービングユニット２４を支持する支持部材２２と、を有する。
【００５９】
図１及び図２に示す機器１０の実施例によれば、シェービングユニット２０は、幾分三角形に配置された３つのシェービングユニット２４を有する。
【００６０】
図３は、シェービングユニット２４の斜視分解図である。図３は、シェービングユニット２４がそれぞれガードキャップ２８及び回転カッタ３０を備えていることを示している。
【００６１】
機器１０が毛シェービング手順のために操作されると、回転カッタ３０は、ガードキャップ２８に対して回転軸２６を中心に回転する。
【００６２】
図１に示すように、シェービングユニット２４は、互いに対して幾分傾斜していても良い。更に、シェービングユニット２４は、回転軸２６に平行でない軸、好ましくはそれに垂直な軸を中心に少なくともわずかに枢動可能であっても良い。これにより、シェービングヘッド２０の所定の輪郭追従能力が得られる。
【００６３】
図２では、駆動部１６の各ドライバ３２が示されており、ここで、各ドライバ３２は、シェービングユニット２４の回転カッタ３０に設けられた各駆動凹部３４に係合するように配置されている。
【００６４】
（静止及び非回転）ガードキャップ２８に対する各シェービングユニット２４の回転カッタ３０の回転方向は、図３において符号３６で示されている湾曲した矢印によって示されている。
【００６５】
図３に示すようにガードキャップ２８内には、環状シェービングトラック４４が形成される。装着状態では、回転カッタ３０に形成されたカッタ刃が、環状シェービングトラック４４の領域でガードキャップ２８の内部に接触する。ガードキャップ２８と回転カッタ３０との間の相対的な回転により、シェービングユニット２４の２つの主要構成要素の関係する切断端部の間で毛を切断することができる。
【００６６】
更に、本発明の少なくとも幾つかの態様によるシェービングユニット２４を形成するガードキャップ２８及び回転カッタ３０の拡大図を提供する、図４の斜視分解平面図を参照する。
【００６７】
更に、ガードキャップ２８及び回転カッタ３０の上面図を示す図５及び図６、及びガードキャップ２８及び回転カッタ３０の組立状態を示す図７を参照する。
【００６８】
図８を更に参照すると、毛入口スロット４６及びカッタ刃６２の幾何及び形状を説明するために、シェービングユニット２４の拡大部分上面図が示されている。
【００６９】
図４において、回転軸２６及び回転方向３６はそれぞれの番号で示されている。ガードキャップ２８において、環状シェービングトラック４４がその後側に形成される（図４のガードキャップ２８の前面によって覆われる）。環状シェービングトラック４４では、一連の毛入口スロット４６が形成され、回転軸２６を中心として円周方向に分布される。
【００７０】
毛入口スロット４６はそれぞれ、ガードキャップ２８に対する回転カッタ３０の移動方向で見て、前端４８と後端５０とを備えている。毛入口スロット４６の前端４８は、ガードキャップ２８の切断端とも呼ばれる。
【００７１】
毛入口スロット４６は、一定又は非一定の間隔角度（角度オフセット）だけ、ガードキャップ２８の中心の周りに互いから間隔を隔てて配置される。
【００７２】
図４に示す回転カッタ３０は、ベースプレート６０と、そこから延在及び／又は突出する複数のカッタ刃６２とを有する。カッタ刃６２は円形に配置されている。カッタ刃６２は、花輪状又は冠状の配列を形成する。
【００７３】
環状シェービングトラック４４に対向するカッタ刃６２のそれぞれの上端には、それぞれの切断端６４が形成されており、この切断端は、ガードキャップ２８における毛入口スロット４６の前端４８と協働する。
【００７４】
回転カッタ３０は、ベースプレート６０に形成された駆動輪郭６６を更に有する。駆動輪郭６６を介して、回転カッタ３０をガードキャップ２８に対して駆動部（回転方向を示す矢印３６参照）により作動及び回転させることができる。
【００７５】
図５から分かるように、図４乃至図８に示す実施例の毛入口スロット４６は、基本的にＶ字型又はブーメラン形である。
【００７６】
図５は、Ｖ字型の毛入口スロット４６が、それぞれ成形された前端４８も含むことを示している。前端４８は、前先端とも呼ばれる先端７６と、第１の脚部７８及び第２の脚部８０とを有する。先端部７６は、回転カッタ３０の回転方向を向いている。図５に示す実施例では、毛入口スロット４６の後端５０もＶ字型である。
【００７７】
全体として、Ｖ字型の毛入口スロット４６は、その長さ方向の延在部に関して、基本的に円周方向に垂直であり、基本的に半径方向に整列するように配置される。前端４８についても同様である。
【００７８】
図６から最もよく分かるように、回転カッタ３０のカッタ刃６２にも、Ｖ字状又はブーメラン形状の形態が設けられている。切断端６４は、先端８６と、２つの隣接する脚部８８、９０とを備えている。先端８６は、第１の脚部８８と第２の脚部９０との間に配置されている。全体として、Ｖ字状切断端６４は、その長手方向延在部に関して、円周方向に垂直になるように配置され、基本的に半径方向に整列される。
【００７９】
図５では、前端４８の２つの脚部７８、８０の間の角度をγ（ガンマ）で示す。更に、図６に見られるように、切断端６４の２つの脚部８８、９０の間の角度はε（イプシロン）で示される。
【００８０】
本発明の少なくとも幾つかの実施例によれば、前端４８の２つの脚部７８、８０間の角度γは、切断端６４の２つの脚部８８、９０間の角度εよりも大きい。また、前端４８と切断端６４との両方が同一方向（かつ回転方向３６と同一方向）を向いている。
【００８１】
毛入口スロット４６及びカッタ刃６２の設計は、毛が前端４８の先端に向かって（主に）押し付けられず、前端４８の（半径方向の）延在部全体に沿って基本的に処理／切断されるという効果を有する。それ故、先端７６において多数の毛フィラメントがつまるリスクが著しく低減される。
【００８２】
図７は、回転カッタ３０とガードキャップ２８との組み立て状態を示しており、ここで、カッタ刃６２は、毛の入口スロット４６と協働するように環状シェービングトラック４４内に配置されている。図７において、回転カッタ３０は破線で示され、ガードキャップ２８によって覆われている。
【００８３】
図８は、本発明の少なくとも幾つかの実施例による、回転カッタ３０及びガードキャップ２８の設計の更なる態様を示す。図８において、ガードキャップ２８及び回転カッタ３０の部分上面図が設けられており、ここで回転カッタ３０は、環状シェービングトラック４４（図７参照）に対向するカッタ刃６２の上面の簡略図で表されており、カッタ刃６２の隠れている線は破線で示されている。
【００８４】
図８において、（中心の）回転軸２６から逸脱する半径方向は、９６によって示されている。定義の目的のために、半径方向を規定する線９６は、前端４８と切断端６４との間の（一時的である）交差点と交差する。
【００８５】
参照番号７０は、毛入口スロット４６の前端４８の長辺延在部に沿った切断部分を示す。切断部分７０は、毛入口スロット４６とカッタ刃６２とが互いに接触し、それらの間で毛を切断するように協働する領域である。
【００８６】
前端４８は、少なくとも１つの脚部又はその一部が、半径方向９６に対して角度α（α）で配置されている。切断端６４は、少なくとも１つの脚部又はその一部が、半径方向９６に対して角度β（ベータ）をなして配置されている。角度αは、スロット角とも呼ばれ得る。角度βは、切断端６４の傾斜角度とも呼ばれ得る。
【００８７】
図８から明らかなように、角度βは角度αよりも大きい。角度αとβの角度差は、剪断角とも呼ばれる角度δ（デルタ）で表される。更に上述したように、スロット角αは、３５°乃至６０°（度）の範囲にある。好ましくは、スロット角αは、３５°乃至４５°の範囲である。
【００８８】
好ましくは、傾斜角βは、剪断角δが＋／−２０°未満となるように選択される。
幾つかの実施例では、剪断角δは＋／−１０°未満である。幾つかの実施例では、剪断角δは＋／−５°未満である。
【００８９】
特定の実施例において、前端４８の２つの脚部７８、８０間の角度γは、１２０°よりも小さい。代替実施例では、前端４８の２つの脚部７８、８０間の角度γは１０５°より小さい。代替の実施例では、前端４８の２つの脚部７８、８０間の角度γは、９０°よりも小さい。
【００９０】
特定の実施例では、切断端６４の２つの脚部８８、９０間の角度εは、最大６０°であるが、角度γよりも０°を超えて小さい。特定の実施例では、切断端６４の２つの脚部８８、９０間の角度εは、最大３０°であるが、角度γよりも０°を超えて小さい。
【００９１】
特定の実施例では、切断端６４の２つの脚部８８、９０間の角度εは、最大２０°であるが、角度γよりも０°を超えて小さい。特定の実施例では、切断端６４の２つの脚部８８、９０間の角度εは、最大１０°であるが、角度γよりも０°を超えて小さい。
【００９２】
図９、図１０及び図１１を参照して、本発明による代替実施例を説明する。図９は、ガードキャップ１２８の上半分の図である。図１０は、回転カッタ１３０の対応する上半図表示である。
【００９３】
ガードキャップ１２８には、一連の円周方向に配置された毛の入口スロット１４６を有する環状シェービングトラック１４４が設けられている。毛入口スロット１４６は、前端１４８と、反対側の後端１５０とを備えている。回転カッタ１３０の移動方向（図１０の曲がった矢印１３６を参照）において、前端１４８は後端１５０の前方（下流）にある。
【００９４】
毛入口スロット１４６は、図４、２、８に記載されているような実施例のＶ字型又はブーメラン形の毛入口スロット４６とは対照的に、基本的に線形の形状を含む。しかしながら、毛入口スロット１４６の主延長方向及び／又は前端１４８の主延長は、それぞれの半径方向に対して幾らか傾斜している（これについては、図１１に関連して以下で更に説明する）。
【００９５】
図１０に示す回転カッタ１３０では、切断端１６４を設けた円形の一連のカッタ刃１６２が形成されている。また、カッタ刃１６２及び／又はそれらの切断端１６４は、基本的に直線状であるが、それぞれの半径方向に対して少なくともわずかに傾斜している。
【００９６】
言うまでもなく、本明細書で論じるＶ字型及び／又は湾曲した実施例、並びに毛入口スロット４６、１４６及び切断端６４、１６４の基本的に直線状の実施例に加えて、ハイブリッドの実施例、即ち、わずかに湾曲した毛入口スロット及び切断端も考えられる。しかしながら、斯かる幾何学形状の頂点（先端）は、回転の方向を指すことが好ましい。
従って、毛入口スロットの前端は凹形状とすることができ、回転カッタの切断端は凸形状とすることができる。
【００９７】
図１１は、図９のガードキャップ１２８と、図１０の回転カッタ１３０とを有するシェービングユニット１２４の拡大部分上面図を示す。毛入口スロット１４６における前端部１４８は、半径方向に対して傾斜していることが明確に分かる（シェービングユニット１２４の中心において軸１２６から離脱する半径方向線１９６を参照）。
【００９８】
参照番号１７０は、毛入口スロット１４６の前端１４８の長辺延在部に沿った切断部分を示す。切断部分１７０は、毛入口スロット１４６とカッタ刃１６２とが互いに接触し、それらの間で毛を切断するように協働する領域である。
【００９９】
前端１４８は、半径方向１９６に対して角度α（α）で配置されている。カッタ刃１６２の切断端１６４は、半径方向１９６に対して角度β（ベータ）をなして配置されている。角度αは、スロット角とも呼ばれる。角度βは、切断端１６４の傾斜角度とも呼ばれ得る。
【０１００】
図１０から、角度βが角度αよりも大きいことが明らかである。角度αとβの角度差は、剪断角とも呼ばれる角度δ（デルタ）で表される。
【０１０１】
スロット角α、傾斜角β、剪断角δの範囲と値については、図８との関連で、すでに更に上述した。これらの範囲及び値は、図９乃至図１１に示す実施例にも適用することができる。
【０１０２】
全体として、切断端１６４は、前端１４８よりも半径方向１９６に対して傾斜（急峻）している。
【０１０３】
また、図１１により詳細に示される配置は、毛が現在の位置で切断される可能性がより高いという効果を有する。対照的に、切断動作の前に毛が毛入口スロット４６の先端に向かって押されることは、あり得なくはないにしても、起こりにくい。
【０１０４】
図１１、図８ともに正の剪断角δが示されているため、傾斜角βはスロット角αより大きくなる。しかしながら、特定の実施例では、負の剪断角δが両方の構成に存在してもよく、その結果、傾斜角βはスロット角αよりも小さくなる。更に、特定の実施例において、剪断角は基本的にゼロとすることができ、このことは、傾斜角β及びスロット角αが同じ値を有する結果となる。
【０１０５】
本発明は図面及び以上の記述において説明され記載されたが、斯かる説明及び記載は説明するもの又は例示的なものとみなされるべきであり、本発明は開示された実施例に限定されるものではない。図面、説明及び添付される請求項を読むことにより、請求される本発明を実施化する当業者によって、開示された実施例に対する他の変形が理解され実行され得る。
【０１０６】
請求項において、「有する（comprising）」なる語は他の要素又はステップを除外するものではなく、「１つの（a又はan）」なる不定冠詞は複数を除外するものではない。単一のプロセッサ又はその他のユニットが、請求項に列記された幾つかのアイテムの機能を実行しても良い。特定の手段が相互に異なる従属請求項に列挙されているという単なる事実は、これら手段の組み合わせが有利に利用されることができないことを示すものではない。
【０１０７】
請求項におけるいずれの参照記号も、請求の範囲を限定するものとして解釈されるべきではない。
【図１】
2021522010.tif 000003
【図２】
2021522010.tif 000004
【図３】
2021522010.tif 000005
【図４】
2021522010.tif 000006
【図５】
2021522010.tif 000007
【図６】
2021522010.tif 000008
【図７】
2021522010.tif 000009
【図８】
2021522010.tif 000010
【図９】
2021522010.tif 000011
【図１０】
2021522010.tif 000012
【図１１】
2021522010.tif 000013
【国際調査報告】
2021522010.tif 000014
2021522010.tif 000015
2021522010.tif 000016